(57)【要約】【課題】建築構造体上に吹き付けられたアスベストを、極めて少量の高圧水で容易に切削除去できると共に、アスベスト粉じんの飛散を少なくし、単位時間あたりの処理面積が広くなって作業時間を短縮することができる経済的なアスベスト除去方法を提供する。【解決手段】建築構造体の鉄骨部位、コンクリート面および金属屋根に施工されたアスベストにウォータージェットを噴射してアスベストを除去する方法である。直射ノズル４で切削線９を入れる。その後、平射ノズル１０でアスベスト３を切削除去する。【選択図】図１
2010222786.tif 000002
【特許請求の範囲】
【請求項１】
建築構造体の鉄骨部位、コンクリート面および金属屋根に施工されたアスベストにウォータージェットを噴射してアスベストを除去する方法であって、直射ノズルでアスベストに切削線を入れた後、平射ノズルでアスベストを切削除去することを特徴とするアスベスト除去方法。
【請求項２】
建築構造物の鉄骨部位、コンクリート面および金属屋根に施工されたアスベストにウォータージェットを噴射してアスベストを除去する方法であって、直射ノズルでアスベストに切削線を入れた後、２孔回転ノズルもしくは３孔回転ノズルでアスベストを切削除去することを特徴とするアスベスト除去方法を開発し、採用した。
【請求項３】
前記２孔回転ノズルは、ウォータージェットを互いに平行に直進又は扇状に噴射する噴出口を２個並設してある請求項２に記載のアスベスト除去方法。
【請求項４】
前記３孔回転ノズルは、１２０度の角度で等間隔に配した同心円の円周上に噴出口を３個配設してある請求項２に記載のアスベスト除去方法。
【発明の詳細な説明】
【技術分野】
【０００１】
本発明は、構造体上に吹き付けられたアスベスト含有建材を除去する方法に関するもので、さらに詳しくは、主として鉄骨柱や鉄骨梁などに吹き付けられているアスベストを切削除去する方法に関するものである。
【背景技術】
【０００２】
従来から、アスベストは構造体の耐火性、断熱性、吸音性を高めるものとして広く使用されてきたが、近年、アスベストの粉じんを長時間吸い続けると、アスベスト繊維が体内に蓄積されて肺ガンや中皮腫などの健康障害を引き起こす原因になると言われており、アスベストの製造・使用は原則禁止されている。
【０００３】
しかし、禁止される前に施工されたアスベスト使用の構造体が大量にあり、その構造体は長年の使用でアスベストが劣化したり損傷などによって、その粉じんが大気中に飛散してアスベスト粉じんによる大気汚染を引き起こすおそれがあることから、アスベストの適切な除去処理が急務になっている。
【０００４】
アスベストの除去処理方法としては、アスベストの表面もしくは内部に固化剤を含浸させてアスベストを固化させる「封じ込め処理」またはアスベストの表面をボードなどにより囲い込む「囲い込み処理」あるいはアスベストをスクレーパーやケレンなどを用いて手作業で削り取る「除去処理」がある。
【０００５】
「封じ込め処理」と「囲い込み処理」方法は、一時的な処理方法であり根本的な解決方法ではない。その点、後者の「除去処理」方法は、根本的な解決方法で有効であるが、スクレーパーやケレンなどの人力による手作業は時間と労力を要し作業効率が悪かった。また、作業現場では除去されたアスベストの粉じんが立ちこめることになり、その処理を含めて十分な粉じん対策を施すための装置が必要となりコスト高になるといった問題があった。
【０００６】
そのような問題点を解決する処理方法として、従来から、ウォータージェットのような加圧水を噴射してアスベストを吹き飛ばすようにして除去する方法が行われている（例えば、特許文献１、２参照）。
【先行技術文献】
【特許文献】
【０００７】
【特許文献１】特開平９−２７９８６１号公報
【特許文献２】特開平１１−２００６３９号公報
【発明の概要】
【発明が解決しようとする課題】
【０００８】
しかしながら、上記の特許文献１，２の両方法ともに、アスベストを吹き飛ばし剥すための高圧水を大量に使うことになり、余剰水が大量に発生し作業現場の床面が水浸しになるので、解体工事のアスベスト除去には使用できても、工事場所が隣接または階下が使用されている状態の部屋が存在する、改修工事での使用は事実上不可能であった。
【０００９】
本発明は、上記のような問題点を解決することを課題として開発されたもので、構造体上に吹き付けられたアスベストを、極めて少量の高圧水で容易に切削除去できると共に、アスベスト粉じんの飛散を少なくし、単位時間あたりの処理面積が広くなり、作業時間を短縮することができ経済的なアスベスト除去方法を提供することを目的とするものである。
【課題を解決するための手段】
【００１０】
上記の課題を解決し、その目的を達成する手段として、本発明は、建築構造体の鉄骨部位、コンクリート面および金属屋根に施工されたアスベストにウォータージェットを噴射してアスベストを除去する方法であって、直射ノズルでアスベストに切削線を入れた後、平射ノズルでアスベストを切削除去することを特徴とするアスベスト除去方法を開発し、採用した。
【００１１】
また、本発明は、建築構造体の鉄骨部位、コンクリート面および金属屋根に施工されたアスベストにウォータージェットを噴射してアスベストを除去する方法であって、直射ノズルでアスベストに切削線を入れた後、２孔回転ノズルもしくは３孔回転ノズルでアスベストを切削除去することを特徴とするアスベスト除去方法を開発し、採用した。
【００１２】
本発明では、上記のように構成したアスベスト除去方法において、前記２孔回転ノズルは、ウォータージェットを互いに平行に直進又は扇状に噴射する噴出口を２個並設してあるアスベスト除去方法、および前記３孔回転ノズルは、１２０度の角度で等間隔に配した同心円の円周上に噴出口を３個配設してあるアスベスト除去方法を開発し、採用した。
【発明の効果】
【００１３】
本発明に係るアスベスト除去方法によれば、直射ノズルによって構造体の近くまで深く切削線が入れられ、その後、切削線に沿って扇状噴射する平射ノズルによってアスベストを広い範囲で切削することができる。また、２孔回転ノズルもしくは３孔回転ノズルを回転変位させて高圧水を噴射して複数点で衝撃を与えることにより、切削を促進させることができ、切削片は大きく剥がれることがないので作業が安全にできる。さらに、極めて少量の水量で効率よく切削でき余剰水が発生せず、作業現場の床面が水浸しにならず、改修工事などの嫌水条件の作業でも充分施工できる。
【図面の簡単な説明】
【００１４】
【図１】直射ノズルの簡略断面図である。
【図２】平射ノズルの簡略断面図である。
【図３】２孔回転ノズルの一部切欠正面図である。
【図４】図３の側面図である。
【図５】３孔回転ノズルの一部切欠正面図である。
【図６】図５の側面図である。
【図７】鉄骨柱および鉄骨梁のアスベストを切削している状態の簡略正面図である。
【図８】鉄骨梁に入れられた切削線を示す簡略正面図である。
【図９】図８のＡ−Ａ線断面図である。
【図１０】直射ノズルで切削線を入れる状態を示す簡略断面図である。
【図１１】平射ノズルで切削線に向けて噴射して切削する簡略断面図である。
【図１２】２孔回転ノズルで切削線に向けて噴射して切削する簡略断面図である。
【発明を実施するための形態】
【００１５】
以下に、本発明の実施の形態を添付図面に基づいて説明する。本発明は建築構造体の特定部位として挙げられる、柱、梁などの構造体に吹き付けられたアスベスト、特にＨ鋼やＣ鋼などの鉄骨柱１や鉄骨梁２に耐火被覆として吹き付けられたアスベスト３を切削除去するものである。
【００１６】
上記の鉄骨柱１や鉄骨梁２に吹き付けられたアスベスト３に向けて第一段階で使用するノズルは、図１に示すような直射ノズル４を使用する。この直射ノズル４には、細孔５を穿設した短筒体のチップ６が先端部の凹所７に嵌合されており、高圧ポンプ（図示せず）から送り出される高圧水のウォータージェットを噴出口８より噴射して細い切削線９をアスベスト３の深い部分まで入れることができる。
【００１７】
アスベスト３に入れる切削線９は鉄骨梁２の場合、図８に示すように、鉄骨梁２の長さ方向に沿って上中下部に横切削線９ａ，９ａ，９ａを入れ、その上中下部の横切削線９ａ，９ａ，９ａ間に縦切削線９ｂ，９ｂ…９ｂを横切削線９ａ，９ａ，９ａと交差することなく入れておく。この縦切削線９ｂ，９ｂ…９ｂは、アスベスト３の厚み方向に向って傾斜する切削線９ｃ，９ｃ…９ｃになっている。そして、所々に切削線９の入っていない部分があるようにしてある。このようにすることにより、後工程の切削除去作業において、スムーズに切削できると共に、切削片が大きく剥がれると危険でありそれを防ぐためである。この細い切削線９をアスベスト３の深い部分まで入れられるのは、圧力が２００ＭＰａの高圧水を噴射可能なノズル口径が直径０．２ｍｍ〜０．３５ｍｍで、水量が０．９リットル／分〜２．７リットル／分の条件によって好適に実施できる。ノズル口径が直径０．２ｍｍ以下で、水量が０．９リットル／分以下になると、衝撃力が弱くなって適さない。また、ノズル口径が直径０．４ｍｍ以上、水量が３．６リットル／分以上になると余剰水が発生し、作業現場が水浸しになることから適さない。
【００１８】
直射ノズル４で切削線９を入れた後に使用する第２段階のノズルは、図２に示すような高圧水を扁平扇状に噴射する平射ノズル１０を使用する。この平射ノズル１０には、細孔１１を穿設した短筒体のチップ１２が先端部の凹所１３に嵌合されており、高圧ポンプ（図示せず）から送り出される高圧水のウォータージェットを噴出口１４より扁平扇状に噴出する。この平射ノズル１０は直射ノズル４の一点集中衝撃より低圧であるが、切削線９の施されている部分を扁平扇状に噴射することにより広い範囲で切削が可能になる。この平射ノズル１０は、圧力が１５０〜２００ＭＰａの高圧水を噴射可能なノズル口径が直径０．２ｍｍ、水量が２．７リットル／分の条件により好適に実施できる。
【００１９】
また、直射ノズル４で切削線９を入れた後に使用するもう１つのノズルとしては、２孔回転ノズル１５および３孔回転ノズル１６を用いる。２孔回転ノズル１５は、図３，４に示すように、円筒状胴部１７の内部に基部１８より先端部１９に向かって貫通する２本の高圧水路２０，２０を設けてあると共に、先端部１９には六角頭部２１と螺子管２２が一体になり、その螺子管２２内に細孔２３を有するチップ２４が嵌合されており、先端部１９に高圧水を噴出する噴出口２５，２５を上下に並設してある。この２孔回転ノズル１５としては、圧力２００ＭＰａの高圧水を噴射可能なノズル口径が直径０．２ｍｍ、水量が１．８リットル／分の条件により好適に実施できる。
【００２０】
３孔回転ノズル１６は、図５，６に示すように、略三角形状の先端部２６の中心位置より所定の径で円を描いた同心円２７の円周上に１２０度の角度で等間隔に設けた３個の噴出口２８，２８，２８を設けてあり、前記２孔回転ノズル１５と同様に胴部２９の内部に基部３０より先端部２６に向かって貫通する３本の高圧水路３１，３１，３１を設けてあり、先端部２６には六角頭部３２と螺子管３３が一体になり、その螺子管３３内に細孔３４を有するチップ３５が嵌合されており、先端部２６に高圧水を噴出する噴出口２８，２８，２８を３個配設してある。この３孔回転ノズル１６としては、圧力１５０〜２００ＭＰａの高圧水を噴射可能なノズル口径が直径０．２ｍｍ、水量が２．７リットル／分の条件により好適に実施できる。
【００２１】
このように構成した実施の形態におけるアスベスト切削除去方法の使用例を作用、効果と共に説明すれば、図７に示すように、建築物内の鉄骨柱１や鉄骨梁２に吹き付けられたアスベスト３を除去するのであるが、図８に示すように、梁２の長さ方向に沿って横切削線９ａと縦切削線９ｂを交差しないように深い切削線９を入れる。この切削線９は直射ノズル４の単孔から噴出されるウォータージェットによりアスベスト３の厚さ方向に深い傾斜切削線９ｃ，９ｃ…９ｃを容易に入れることができる。この傾斜切削線９ｃ，９ｃ…９ｃを入れることにより、後工程の切削が容易になる。
【００２２】
アスベスト３に切削線９が施された後、直射ノズル４から平射ノズル１０に変えて噴射するのは、直射ノズル４であれば、噴出口が１個であり、高圧で大量の高圧水がアスベストの一ヶ所に集中的に吐出されて大きい衝撃力となり、跳ね返りによるエネルギーのロスや多くの飛沫により余剰水となって作業現場において水浸しになるが、平射ノズル１０に変えることにより、扇状の低圧扁平噴射流を噴出し広い範囲で切削することができると共に、扁平噴射流がアスベストに吸水されやすくなり、余剰水になることがない。
【００２３】
また、２孔回転ノズル１５もしくは３孔回転ノズル１６の場合も、直射ノズル４より衝撃力が弱く、複数孔ノズルによる回転変位で高圧水を噴射して複数点での投射によりアスベストの切削が促進されると共に、切削片が比較的小さく連続的に切削されるので作業が安全になる。
【００２４】
以上、本発明の実施の形態では、鉄骨柱や鉄骨梁に吹き付けられたアスベストの切削除去方法で説明したが、必ずしもこれに限るものではなく、コンクリート面や金属屋根などにも使用できるものであり、本発明の目的を達成でき、かつ本発明の要旨を逸脱しない範囲内において種々の設計変更が可能であることは言うまでもない。
【産業上の利用可能性】
【００２５】
本発明は、鉄骨柱や鉄骨梁の金属構造体に吹き付けられたアスベストの除去に限らず、コンクリート面に吹き付けられたアスベスト壁面、天井面、床面などの建築構造体においても有効に利用することができる。
【符号の説明】
【００２６】
３    アスベスト
４    直射ノズル
８    噴出口
９    切削線
１０  平射ノズル
１５  ２孔回転ノズル
１６  ３孔回転ノズル
２５  噴出口
【図１】
2010222786.tif 000003
【図２】
2010222786.tif 000004
【図３】
2010222786.tif 000005
【図４】
2010222786.tif 000006
【図５】
2010222786.tif 000007
【図６】
2010222786.tif 000008
【図７】
2010222786.tif 000009
【図８】
2010222786.tif 000010
【図９】
2010222786.tif 000011
【図１０】
2010222786.tif 000012
【図１１】
2010222786.tif 000013
【図１２】
2010222786.tif 000014
【手続補正書】
【提出日】平成21年4月2日(2009.4.2)
【手続補正１】
【補正対象書類名】特許請求の範囲
【補正対象項目名】請求項２
【補正方法】変更
【補正の内容】
【請求項２】
建築構造物の鉄骨部位、コンクリート面および金属屋根に施工されたアスベストにウォータージェットを噴射してアスベストを除去する方法であって、直射ノズルでアスベストに切削線を入れた後、２孔回転ノズルもしくは３孔回転ノズルでアスベストを切削除去することを特徴とするアスベスト除去方法。